(57)【要約】【課題】誤検出による誤報を防止するとともに、異常時の画像情報の有効利用を図ることが可能な防犯装置を得る。【解決手段】自宅１に設置された監視カメラ１１により撮影された画像に異常な動きを検出すると、当該画像が携帯電話３に送信される。ユーザ２は、受信した当該画像を携帯電話３の表示画面に表示して、悪意の侵入者か否かを確認する。悪意の侵入者であった場合には、予め携帯電話３に登録してある、自宅１の最寄りの交番４に、当該画像を送信して、自宅１内に悪意の侵入者がいることを通報する。通報を受けた警察官はただちにユーザ２の自宅１に急行し、発生した異常に対処する。【選択図】　　　　図１
2004080294.tif 000002
【特許請求の範囲】
【請求項１】
監視対象場所に設置されている防犯装置本体と、前記防犯装置本体との通信を行う携帯端末とを備えた防犯システムであって、
前記防犯装置本体が、
前記監視対象場所の異常を検出する検出手段と、検出された異常に関する異常情報を送信する送信手段とを備え、
前記携帯端末が、
送信された前記異常情報を受信する受信手段と、前記受信手段により受信した前記異常情報を表示する表示手段と、通報先として所定の警備機関を登録する登録手段と、前記受信手段により受信した前記異常情報を前記通報先に転送する転送手段とを備えている
ことを特徴とする防犯システム。
【請求項２】
前記警備機関には、前記携帯端末の所有者に関する情報が登録されたデータベースを記録している記録手段と、前記転送手段により転送された前記異常情報を表示する表示手段とが設けられていることを特徴とする請求項１に記載の防犯システム。
【請求項３】
前記警備機関には、前記携帯電話からの発呼のみを受ける専用回線が設けられ、前記携帯電話からの発呼を受けた場合には、前記データベースを検索して、前記所有者に関する情報と前記異常情報とを前記表示手段に表示することを特徴とする請求項２に記載の防犯システム。
【請求項４】
監視対象場所の異常を検出する検出手段と、
通報先として最寄りの交番を登録する登録手段と、
前記検出手段により検出された異常に関する異常情報を前記交番に送信する送信手段と
を備えたことを特徴とする防犯システム。
【請求項５】
前記通報先には、
前記送信手段の所有者に関する情報が登録されたデータベースを記憶している記録手段と、
前記送信手段により送信された前記異常情報を表示する表示手段とが設けられている
ことを特徴とする請求項４に記載の防犯システム。
【請求項６】
前記異常を検出する検出手段には、玄関方向と窓方向の２方向の撮影を同時に行う監視カメラが接続されることを特徴とする請求項１ないし５のいずれかに記載の防犯システム。
【発明の詳細な説明】
【０００１】
【発明の属する技術分野】
この発明は防犯システムに関し、特に、個人宅等の住居内に侵入する侵入者を検知するための防犯システムに関する。
【０００２】
【従来の技術】
近年、マンション等の一人暮らしの女性を狙った犯罪が急増している。そればかりでなく、ピッキング等の被害が急増し、外出中や就寝時に侵入されるという種々の犯罪が起きている。このため、住居内への侵入者を検知するためのセンサを設置した防犯装置の必要性が高まりつつある。この種の防犯装置は、センサが侵入者を検知すると、警報が鳴るものや、あるいは、異常信号が警備会社などの通報先に通報されるように構成されているものが多い。また、センサだけでなく、監視カメラを併設してある防犯装置も近年開発されている。
【０００３】
さらには、近年の携帯電話の普及により、異常信号や監視カメラが捉えた異常時の画像をユーザが自分の携帯電話に送信できるようにした防犯装置も考案されつつある。
【０００４】
【発明が解決しようとする課題】
センサを備えた上述の従来の防犯装置においては、センサが動く物体を検知した場合には、全ての場合において“異常”として警備会社などの通報先に通報してしまうため、センサが誤検出した場合には不都合が生じてしまうという問題点があった。例を挙げれば、例えば、風によるカーテンの動きや猫などのペットの動き等が検出された場合は誤報となり、あるいは、自分の留守中に鍵を持っている親戚や友人などが来た時にも、防犯装置が解除されない限り、通報先に異常信号が通報されることになる。
【０００５】
また、警備会社へ通報された場合には、それを受けた警備会社の人間が送信元のユーザの住居へ出向くことになるため、その度に料金がかかってしまい、防犯システムとして使用コストが高くなってしまうという問題点があった。
【０００６】
また、ユーザの自分の携帯電話に異常信号や異常画像が送信されてくる防犯装置においては、ユーザは自宅に侵入者などがあったことを知ることは出来るものの、その異常に対する処理が行いにくいという問題点があった。すなわち、自分の居場所と自宅とが離れている場合には、１１０番（警察）通報するしか手段がなく、せっかくの画像情報も有効利用することができず、かつ、警察への電話による事情説明にも時間がかかり（どのような方法で異常を知ったかについて説明しなければならない）、結果的に迅速な対応は出来ないという問題点があった。
【０００７】
この発明は係る問題点を解決するためになされたものであり、誤検出による誤報を防止するとともに、異常時の画像情報の有効利用を図ることが可能な防犯装置を得ることを目的とする。
【０００８】
【課題を解決するための手段】
この発明は、監視対象場所に設置されている防犯装置本体と、前記防犯装置本体との通信を行う携帯端末とを備えた防犯システムであって、前記防犯装置本体が、前記監視対象場所の異常を検出する検出手段と、検出された異常に関する異常情報を送信する送信手段とを備え、前記携帯端末が、送信された前記異常情報を受信する受信手段と、前記受信手段により受信した前記異常情報を表示する表示手段と、通報先として所定の警備機関を登録する登録手段と、前記受信手段により受信した前記異常情報を前記通報先に転送する転送手段とを備えている防犯システムである。
【０００９】
また、前記警備機関には、前記携帯端末の所有者に関する情報が登録されたデータベースを記録している記録手段と、前記転送手段により転送された前記異常情報を表示する表示手段とが設けられている。
【００１０】
また、前記警備機関には、前記携帯電話からの発呼のみを受ける専用回線が設けられ、前記携帯電話からの発呼を受けた場合には、前記データベースを検索して、前記所有者に関する情報と前記異常情報とを前記表示手段に表示する。
【００１１】
【発明の実施の形態】
実施の形態１．
図１は、本発明の防犯システムの全体の構成を示した図である。図１において、１は監視対象場所としてのユーザの自宅、２はユーザ、３はユーザが所有する携帯端末としての携帯電話、４はユーザ２の自宅１の最寄りの交番である。ユーザの自宅１内には、監視カメラ１１と、監視カメラ１１に接続されたコンピュータ等から構成された制御装置１２とからなる防犯装置本体が設けられている。交番４内には、ユーザ２の携帯電話３または防犯装置本体から送信されてくるデータを受信するとともに他の警察署等へのデータの送信などを行う送受信装置４１と、コンピュータなどから構成された制御装置４２と、制御装置４２に接続され、登録されているユーザに関する情報が記録されたデータベース等を格納しているディスク装置等から構成された記録装置４３とが設けられている。
【００１２】
図２は、自宅１、携帯電話３および交番４の内部の詳細な構成を示したブロック図である。図において、図１と同じ構成については同一符号を付している。まず、自宅１の内部から説明する。１１は監視カメラ、１２は制御装置である。１２ａは設定手段であり、「就眠モード」、「外出モード」および「通常モード」のいずれかに設定するためのものである。１２ｂは異常検出手段であり、監視カメラ１１が設置された監視対象場所の異常を検出する手段である。異常検出手段１２ｂは、監視カメラ１１により撮影された画像を差分処理などにより処理して、侵入者を検出する。なお、当該異常検出手段１２ｂは、「就眠モード」または「外出モード」に設定されているときに動作し、「通常モード」に設定されているときには動作しないこととする。１２ｃは送信手段であり、検出された異常に関する異常情報を送信する。つまり、異常検出手段１２ｂにより、侵入者が検出されたときに、その時の画像を異常情報として携帯電話３または交番４に送信する。すなわち、「外出モード」の場合は、携帯電話３に送信し、「就眠モード」の場合は、直接、登録先の交番４に送信する。１２ｄは受信手段であり、携帯電話３からの異常確認信号を受信すると、登録先の交番４に画像を送信するように送信手段１２ｃに送信指令信号を出力する。１２ｅは登録手段であり、携帯電話３の電話番号や、登録先の交番４の専用電話番号などの送信先を登録しておく。１２ｆは警報手段であり、受信手段１２ｄが携帯電話３からの異常確認信号を受けると、異常警報を鳴らすとともに、「就眠モード」に設定されているときには画像の異常な動きを異常検出手段１２ｂが検出すると、それを告知するためにユーザ２に対して一定時間「警告」を発する。
【００１３】
次に、携帯電話３について説明する。携帯電話３は、防犯装置本体との通信、つまり、画像の送受信を行うための機能を有しており、送信手段１２ｃから送信された異常情報を受信する受信手段を有し、監視カメラ１１で撮影された異常時の画像を自宅１の送信手段１２ｃから受信して表示するための液晶画面などから構成された画像表示手段３１と、種々の操作を行うための複数のキーを備えた操作手段３２とを備えている。ユーザ２が、画像表示手段３１に表示された画像で異常を確認したときに、操作手段３２により所定の「転送操作」を行うことにより、携帯電話３は、自宅１の受信手段１２ｄに異常確認信号を送信するとともに、通報先としての所定の警備機関である交番４に当該画像を送信する。図示しないが、この携帯電話３には、交番の専用電話番号を登録する登録手段と、異常情報を通報先に転送する転送手段とを備えている。
【００１４】
次に、交番４の内部について説明する。４１は送受信装置、４２は制御装置、４３は記録手段としての記録装置である。記録装置４３には、登録した携帯電話の所有者に関する情報（住所、氏名、電話番号など）が含まれるデータベースが記録されている。図において、４１ａは受信手段であり、携帯電話３または自宅１から異常時の画像を受信する。なお、このときには携帯電話３または自宅１の送信手段１２ｄからの発呼のみを受ける専用の電話回線を用いることとする。これは、通常の電話回線とは別に専用の電話回線を設けることで、話し中でつながらないという事態を防ぐためである。４１ｂは転送手段であり、一定時間の間に交番４の警察官による確認操作が行われないときに、警察官が交番４内に不在であると判断し、記録装置４３（または転送手段４１ｂ内）に予め登録されている別の警察署（あるいは、消防車やパトロールカーでも可）に対して、受信手段４１ａが受信した画像を自動的に転送するためのものである。４２ａは表示手段であり、コンピュータ４２ｂから構成された制御装置４２のディスプレイから構成される。表示手段４２ａは、携帯電話３からの発呼を受けた場合に受信した携帯電話３の電話番号を用いて記録装置４３内のデータベースからユーザ２（所有者）に関する情報（住所・氏名・電話番号等）を検索し、それらの情報と受信した異常時の画像とを同時に表示する。なお、この表示画面は即座に印刷される。このときに、住所だけでなく、地図を表示してユーザ２の自宅１の場所が即座にわかるようにすれば、さらに利便性が向上する。また、自宅１の送信手段１２ｄから発呼を受けた場合にも、同様にユーザ２に関する情報の検索が行われる。
【００１５】
次に、図１及び図２を用いて簡単に本発明の防犯システムの動作の概略について説明する。図３は、当該動作の流れを示した図である。まず、ユーザ２が、個人で小売店等の店舗で防犯用監視カメラ機器を購入する（ステップＳ１）。次に、最寄りの交番４で事前登録手続きを行う。登録情報としては、ユーザ２の住所、氏名、携帯電話番号、自宅の電話番号などである（ステップＳ２）。交番４に設置された制御装置４２にこれらの登録情報を入力することにより、記録装置４３内のデータベースに記録する（ステップＳ３）。交番４における事前登録が済んだユーザ２には、交番４の専用電話番号が、例えば警官から教えられる（ステップＳ４）。ユーザ２は、当該専用電話番号を自分の携帯電話３に登録する（ステップＳ５）。なお、この専用電話番号は、制御装置１２の登録手段１２ｅにも登録しておく。次に、ユーザ２は自宅１に、購入した監視カメラ１１を設置する（ステップＳ６）。制御装置１２の設定手段１２ａを操作して「就眠モード」または「外出モード」のいずれかに設定する（ステップＳ１０、または、ステップＳ２０）。なお、監視カメラ１１を作動させたくない場合には、「通常モード」に設定する。
【００１６】
制御装置１２を就眠モードに設定した（ステップＳ１０）場合には、就眠中に侵入者があった場合、画像の異常な動きを異常検出手段１２ｂにより検出するとともに、警報手段１２ｆにより警告（ユーザ２に対する呼びかけ）を行う（ステップＳ１１）。当該警告に対して、一定時間経過するか（ステップＳ１２）、監視カメラ１１に衝撃が加えられるまたは電源断になるか（ステップＳ１３）、あるいは、携帯電話３か制御装置１２で確認操作が行われる（ステップＳ１４）等の事態が発生すると、登録手段１２ｅに事前に登録しておいた交番４に対して送信手段１２ｃが画像を転送する（ステップＳ１５）。これにより、自宅１においては異常と断定され、警報手段１２ｆによる警報が鳴り続ける（ステップＳ１６）。交番４は、転送された画像を受信手段４１ａにより受信し（ステップＳ３０）、送信先の電話番号をもとにデータベースの中から転送してきたユーザ２の情報を検索し、制御装置４２の表示手段４２ａの画面上に当該画像とユーザ２の住所、氏名、携帯電話番号などを表示するとともに、プリンタ（図示せず）で情報を印刷する。この間、制御装置４２上で警察官による確認操作（ステップＳ３１）が行われるまで、交番４内に警報が鳴り続ける。確認操作とは、交番４の警察官が当該画像の転送に気づき、制御装置４２に対して所定の信号を入力することである。なお、一定時間、制御装置４２の確認操作がなされなければ、転送手段４１ｂにより事前に設定されている警察署等の転送先に画像が自動的に転送される（ステップＳ３２）。
【００１７】
一方、制御装置１２を外出モードに設定した（ステップＳ２０）場合には、ユーザ２の留守中に侵入者があったときに、画像の異常な動きが異常検出手段１２ｂにより検出されると（ステップＳ２１）、送信手段１２ｃが、外出先のユーザ２の携帯電話３に監視カメラ１１がとらえたその画像を転送する（ステップＳ２２）。ユーザ２はこれを受信すると、外出先で、携帯電話３の画像表示手段３１に画像を表示して、それにより侵入者であることを確認し（ステップＳ２３）、携帯電話３に登録しておいた交番４に当該画像を転送し（ステップＳ２４）、自宅１にも異常確認信号を送信する。自宅１においては、異常確認信号を受信手段１２ｄが受信することにより、異常と断定され、警報手段１２ｆによる警報が鳴り続ける（ステップＳ２５）。交番４は転送された画像を受信手段４１ａにより受信し（ステップＳ３０）、記録装置４３内のデータベースの中から携帯電話番号をもとに転送してきたユーザ２の情報を検索し、制御装置４２の画面上に当該画像とユーザ２の住所、氏名、携帯電話番号などを表示するとともに、プリンタ（図示せず）で情報を印刷する。この間、制御装置４２上で警察官による確認操作（ステップＳ３１）が行われるまで、交番４内に警報が鳴り続ける。なお、一定時間、制御装置４２の確認操作がなされなければ、転送手段４１ｂにより、事前に設定された警察署等に画像が自動的に転送される（ステップＳ３２）。
【００１８】
これにより、外出中において侵入者があった場合には、自分の携帯電話３で監視カメラ１１により撮影された画像を確認してから、所定の警備機関である交番に通報することができるので、ペットやカーテンの動きによるセンサの誤報に伴う警備機関への通報を防止することができる。また、通報先として自宅の最寄りの交番が警備機関として登録手段に登録されているので、異常時には直ちに交番に通報でき、自宅の異常に速やかかに対処してもらうことができる。この際、警備機関には、犯人などが写っている画像が送られ、かつ、警備機関の装置には、携帯電話の所有者の住所や名前が、画像とともに表示されるので、交番４の警察官は、すぐさま現場に急行でき、かつ、画像により状況を前もって把握できるので、現場に急行しながら対策を練ることもでき、画像を有効利用して、犯人逮捕につながりやすくすることができる。
【００１９】
一方、就眠中においては、ベランダ（または窓）や玄関からの侵入者があった場合には、画像の変化でそれを検出し、携帯電話３または制御装置１２により所定の確認操作をするか、一定時間が経過するか、あるいは、装置が衝撃を受けるか電源断になったときに、携帯電話３には転送せずに、直接、事前に登録した交番４に監視カメラ１１で撮影した画像を自動的に送信するようにしたので、犯人によりユーザ２が拘束されて外部への連絡が出来ない場合にも、直ちに交番４に通報することができる。また、この場合は、ペットやカーテンの動きによって異常検出手段１２ｂが作動してしまった場合には、ユーザ２がシステムを一定時間内に解除すれば、警備機関への通報を防止することができるため、誤報を防止できるとともに、異常時には警備機関に直接画像を送信するので、画像を有効利用することができる。
【００２０】
実施の形態２．
上述の実施の形態１における防犯システムにおいては、監視カメラ１１が１台だけ設置されている例について説明したが、その場合に限らず、監視カメラ１１は複数の監視カメラから構成してもよく、その場合には、例えば、玄関方向の撮影に１台、ベランダまたは窓方向の撮影に１台というように外部からの侵入が可能な箇所に少なくとも設置するようにする。これにより、さらにセキュリティ性が向上する。
【００２１】
また、１台の監視カメラ１１で同時に２方向の撮影が行えるように、図４に示すように、監視カメラ１１に、２方向の撮影を行うための複数のカメラ１１１，１１２を備えさせるようにしてもよい。この場合も、片方のカメラ１１１により玄関方向の撮影を行い、他方のカメラ１１２によりベランダ方向（または窓方向）の撮影を行う。なお、２つのカメラが同時に作動した場合には、先に作動した方の画像を制御装置１２に送信し、後から作動した方の画像は監視カメラ１１に設けられたメモリ（バッファメモリ）に一時的に保存される。先に作動した方の画像が制御装置１２により受信またはキャンセルされたら、メモリに保存されている、後から作動した方の画像が制御装置４２に送信される。
【００２２】
また、監視カメラ１１は、図１に示すような壁掛けタイプのものでもよく、または、図４（ａ）および（ｂ）に示すように置き型タイプのものでもよく、使い勝手に合わせて購入の際にユーザが適宜選択する。また、いずれのタイプの場合にも、カメラのレンズの向きは固定されたものでもよく、あるいは、可動式で所定のサイクルの首振り型にしてもよい。
【００２３】
さらに、図４（ａ）に示すように、監視カメラ１１に、時計１１３等を付けて、インテリア性を持たせるようにしてもよい。または、図４（ｂ）に示すように、例えば、ロボット型等の人形型にして、侵入者に監視カメラであることを悟られにくくするようにしてもよい（悟られると破壊される恐れがあるため。）。図４（ｂ）の場合は、ロボットの片方の目をカメラにし、頭の後ろ側にもう一方のカメラのための穴を設けるようにすればよい。
【００２４】
実施の形態３．
ユーザの登録は、警察（交番）だけでなく、最寄りの消防署にも同様のシステムを設置して、ユーザを事前登録させておき、火災の早期検出時にも素早く対応できるようにする。警察と消防への通報の選択は、携帯電話等でユーザが異常を確認したときに、登録された転送先の中から選択する。但し、就眠中の自動転送先は、警察のみとする。この場合には、監視カメラ１１に、火災を検知するための機能（赤やオレンジなどを検知する色検出機能）を付加するものとする。
【００２５】
【発明の効果】
この発明は、以上のように構成され、携帯端末の所有者は、携帯端末により異常情報を受信して、当該異常情報の内容を確認した後に、登録先の警備機関に当該異常情報を転送して異常を通報するようにしたので、検出手段の誤検出による通報先への誤報を防止するとともに、警備機関の担当者が現場へ急行する前に画像を受信して、異常の状況を事前に把握できるので、迅速かつ適切な対応ができ、異常時の画像情報の有効利用を図ることができる。
【図面の簡単な説明】
【図１】本発明の防犯システムの全体の構成を示した概略構成図である。
【図２】本発明の防犯システムの詳細な内部構成を示したブロック図である。
【図３】本発明の防犯システムの処理の流れを示した流れ図である。
【図４】本発明の防犯システムで用いられる監視カメラの一例を示した斜視図である。
【符号の説明】
１　自宅、２　ユーザ、３　携帯電話、４　交番、１１　監視カメラ、１２　制御装置、１２ａ　設定手段、１２ｂ　異常検出手段、１２ｃ　送信手段、１２ｄ　受信手段、１２ｅ　登録手段、１２ｆ　警報手段、３１　画像表示手段、３２　操作手段、４１　送受信装置、４１ａ　受信手段、４１ｂ　転送手段、４２制御装置、４２ａ　表示手段、４３　記録装置、１１１，１１２　カメラ、１１３　時計。
【図１】
2004080294.tif 000003
【図２】
2004080294.tif 000004
【図３】
2004080294.tif 000005
【図４】
2004080294.tif 000006